(57)【要約】【課題】  紙白の異なる画像出力装置のカラーマッチングを行い、ターゲットとマッチング結果を隣り合わせで観察した際に好適なマッチングを実現するための用紙差補正カーブを算出する用紙差補正カーブ算出装置及び用紙差補正カーブ算出方法を提供する。【解決手段】  第１及び第２の画像出力装置のデバイスプロファイル準備する手段と、評価用データを取得する手段と、前記評価用データにおける色再現元色彩値を算出する手段と、前記評価用データに対して補正カーブ処理を適用する手段と、前記補正カーブ適用後の評価用データにおける色再現先色彩値を算出する手段と、前記色再現元色彩値と色再現先色彩値の差を求め、その差が最小または基準値以下とする補正カーブを算出する手段と、を含む用紙差補正カーブ算出装置及びその方法を提供する。【選択図】  図１
2005080045.tif 000002
【特許請求の範囲】
【請求項１】
第１の画像出力装置の色を紙白の異なる用紙を使用した第２の画像出力装置で再現する際に、両者の用紙差によって生じる色の差を補正するカーブを算出する用紙差補正カーブ算出装置であって、
第１及び第２の画像出力装置のデバイスプロファイルを作成または取得するデバイスプロファイル準備手段と、
第１の画像出力装置のデバイス値で構成される評価用データを取得する評価用データ取得手段と、
前記評価用データを、第１の画像出力装置のデバイスプロファイルに記述されたデバイス値から相対的色彩値へ変換を行う色変換テーブルを用いて、相対的色彩値に変換し、続いて、第１の画像出力装置のデバイスプロファイルに記述された紙白の絶対的色彩値を用いて、絶対的色彩値に変換し、色再現元色彩値を算出する色再現元色彩値算出手段と、
前記評価用データに対して補正カーブ処理を適用し、補正カーブ適用後の評価用データを算出する補正カーブ適用手段と、
前記補正カーブ適用後の評価用データを、第１の画像出力装置のデバイスプロファイルに記述されたデバイス値から相対的色彩値へ変換を行う色変換テーブルを用いて、相対的色彩値に変換し、続いて第２の画像出力装置のデバイスプロファイルに記述された相対的色彩値からデバイス値へ変換を行う色変換テーブルを用いて、第２の画像出力装置のデバイス値に変換し、続いて第２の画像出力装置のデバイスプロファイルに記述されたデバイス値から相対的色彩値へ変換を行う色変換テーブルを用いて、相対的色彩値に変換し、続いて第２の画像出力装置のデバイスプロファイルに記述された紙白の絶対的色彩値を用いて、絶対的色彩値に変換し、色再現先色彩値を算出する色再現先色彩値算出手段と、
前記色再現元色彩値と色再現先色彩値の差を求め、その差が最小または基準値以下とする補正カーブを算出する補正カーブ算出手段と、
を含む用紙差補正カーブ算出装置。
【請求項２】
画像出力装置のデバイスプロファイルを作成するデバイスプロファイル作成装置であって、請求項１記載の用紙差補正カーブ算出装置によって算出した補正カーブを用いてデバイスプロファイルを作成するデバイスプロファイル作成手段を含むデバイスプロファイル作成装置。
【請求項３】
第１の画像出力装置の色から第２の画像出力装置の色へ変換を行うためのデバイスリンクプロファイルを作成するデバイスリンクプロファイル作成装置であって、請求項１記載の用紙差補正カーブ算出装置によって算出した補正カーブを用いてデバイスリンクプロファイルを作成するデバイスリンクプロファイル作成手段を含むデバイスリンクプロファイル作成装置。
【請求項４】
第１の画像出力装置において出力される画像データの色を、第２の画像出力装置において再現するよう画像データの色変換を行う色変換装置において、
画像データの入力を行うデータ入力手段と、
第１及び第２の画像出力装置の用紙差補正カーブを用いて色変換する色変換手段と、
を含み、前記色変換手段に使われる用紙差補正カーブが、請求項１記載の用紙差補正カーブ算出装置で作成された用紙差補正カーブである色変換装置。
【請求項５】
第１の画像出力装置において出力される画像データの色を、第２の画像出力装置において再現するよう画像データの色変換を行う色変換装置において、
画像データの入力を行うデータ入力手段と、
第１及び第２の画像出力装置のデバイスプロファイルを用いて色変換する色変換手段と、
を含み、前記色変換手段に使われるデバイスプロファイルが、請求項２記載のデバイスプロファイル作成装置で作成されたデバイスプロファイルである色変換装置。
【請求項６】
第１の画像出力装置において出力される画像データの色を、第２の画像出力装置において再現するよう画像データの色変換を行う色変換装置において、
画像データの入力を行うデータ入力手段と、
第１の画像出力装置の色から第２の画像出力装置の色へ変換を行うためのデバイスリンクプロファイルを用いて色変換する色変換手段と、
を含み、前記色変換手段に使われるデバイスリンクプロファイルが、請求項３記載のデバイスリンクプロファイル作成装置で作成されたデバイスリンクプロファイルである色変換装置。
【請求項７】
第１の画像出力装置の色を紙白の異なる用紙を使用した第２の画像出力装置で再現する際に、両者の用紙差によって生じる色の差を補正するカーブを算出する用紙差補正カーブ算出方法であって、
第１及び第２の画像出力装置のデバイスプロファイルを作成または取得するデバイスプロファイル準備ステップと、
第１の画像出力装置のデバイス値で構成される評価用データを取得する評価用データ取得ステップと、
前記評価用データを、第１の画像出力装置のデバイスプロファイルに記述されたデバイス値から相対的色彩値へ変換を行う色変換テーブルを用いて、相対的色彩値に変換し、続いて、第１の画像出力装置のデバイスプロファイルに記述された紙白の絶対的色彩値を用いて、絶対的色彩値に変換し、色再現元色彩値を算出する色再現元色彩値算出ステップと、
前記評価用データに対して補正カーブ処理を適用し、補正カーブ適用後の評価用データを算出する補正カーブ適用ステップと、
前記補正カーブ適用後の評価用データを、第１の画像出力装置のデバイスプロファイルに記述されたデバイス値から相対的色彩値へ変換を行う色変換テーブルを用いて、相対的色彩値に変換し、続いて第２の画像出力装置のデバイスプロファイルに記述された相対的色彩値からデバイス値へ変換を行う色変換テーブルを用いて、第２の画像出力装置のデバイス値に変換し、続いて第２の画像出力装置のデバイスプロファイルに記述されたデバイス値から相対的色彩値へ変換を行う色変換テーブルを用いて、相対的色彩値に変換し、続いて第２の画像出力装置のデバイスプロファイルに記述された紙白の絶対的色彩値を用いて、絶対的色彩値に変換し、色再現先色彩値を算出する色再現先色彩値算出ステップと、
前記色再現元色彩値と色再現先色彩値の差を求め、その差が最小または基準値以下とする補正カーブを算出する補正カーブ算出ステップと、
を含む用紙差補正カーブ算出方法。
【請求項８】
画像出力装置のデバイスプロファイルを作成するデバイスプロファイル作成方法であって、請求項７記載の用紙差補正カーブ算出方法によって算出した補正カーブを用いてデバイスプロファイルを作成するデバイスプロファイル作成ステップを含むデバイスプロファイル作成方法。
【請求項９】
第１の画像出力装置の色から第２の画像出力装置の色へ変換を行うためのデバイスリンクプロファイルを作成するデバイスリンクプロファイル作成方法であって、請求項７記載の用紙差補正カーブ算出方法によって算出した補正カーブを用いてデバイスリンクプロファイルを作成するデバイスリンクプロファイル作成ステップを含むデバイスリンクプロファイル作成方法。
【請求項１０】
第１の画像出力装置において出力される画像データの色を、第２の画像出力装置において再現するよう画像データの色変換を行う色変換方法において、
画像データの入力を行うデータ入力ステップと、
第１及び第２の画像出力装置の用紙差補正カーブを用いて色変換する色変換ステップと、
を含み、前記色変換ステップに使われる用紙差補正カーブが、請求項７記載の用紙差補正カーブ算出方法で作成された用紙差補正カーブである色変換方法。
【請求項１１】
第１の画像出力装置において出力される画像データの色を、第２の画像出力装置において再現するよう画像データの色変換を行う色変換方法において、
画像データの入力を行うデータ入力ステップと、
第１及び第２の画像出力装置のデバイスプロファイルを用いて色変換する色変換ステップと、
を含み、前記色変換ステップに使われるデバイスプロファイルが、請求項８記載のデバイスプロファイル作成方法で作成されたデバイスプロファイルである色変換方法。
【請求項１２】
第１の画像出力装置において出力される画像データの色を、第２の画像出力装置において再現するよう画像データの色変換を行う色変換方法において、
画像データの入力を行うデータ入力ステップと、
第１の画像出力装置の色から第２の画像出力装置の色へ変換を行うためのデバイスリンクプロファイルを用いて色変換する色変換ステップと、
を含み、前記色変換ステップに使われるデバイスリンクプロファイルが、請求項９記載のデバイスリンクプロファイル作成方法で作成されたデバイスリンクプロファイルである色変換方法。
【発明の詳細な説明】
【技術分野】
【０００１】
本発明は、紙白の異なる画像出力装置のカラーマッチングを行い、その結果を隣り合わせで観察した際に好適なマッチングを実現するための用紙差補正カーブを算出する用紙差補正カーブ算出装置及び用紙差補正カーブ算出方法に関する。
【背景技術】
【０００２】
異なる画像出力装置のカラーマッチングを行う際は、通常、ＸＹＺ等の色彩値でマッチング行う。通常測色器を用いて得られる色彩値は、Ｄ５０等の基準照明下における完全拡散板を測定した際の色彩値（基準照明Ｄ５０の場合（X,Y,Z）＝（96.42,100.0,82.49））を白とし、その白に対する相対的な値として算出される。ＣＩＥ（Commission International De L'eclairage）では測光量を表す値を「絶対的」、完全拡散板に対し相対的な値は「相対的」であると定義している。一方、今日のカラーマネジメントにおけるデファクトスタンダードであるＩＣＣプロファイルフォーマット（International Color Consortiumで提唱されたフォーマット仕様）では、完全拡散板に対し相対的な値は画像出力装置の紙白に対しては絶対的な値となることから「絶対的」、画像出力装置の紙白に対して相対的な値が「相対的」であると定義している。以降、本特許ではＩＣＣの定義に従い、測色器から得られた完全拡散板の白に対する相対的な色彩値を絶対的色彩値と呼ぶ。
【０００３】
この絶対的色彩値を用いて再現元である画像出力装置の色を再現先である画像出力装置の色へ変換するカラーマッチングを行うと、再現元画像出力装置の紙白の色味が再現先画像出力装置に再現される。すなわち、再現元画像出力装置の紙白の絶対的色彩値が再現先画像出力装置の色域内に存在する場合、再現先画像出力装置の紙白に色を加えて再現元画像出力装置の紙白が再現される。以降、この絶対的色彩値を用いた色変換を絶対的色変換と呼ぶ。
【０００４】
ＩＣＣプロファイルでは、絶対的色彩値を更に画像出力装置の紙白に対して相対的な色彩値に変換してデバイスプロファイルのテーブルで使用する。この値を用いることにより、色変換に置いて異なる画像出力装置の紙白は同じ色彩値（基準照明Ｄ５０の場合（X,Y,Z）＝（96.42,100.0,82.49））を持つこととなる。
【０００５】
以降本特許ではＩＣＣの定義に従い、画像出力装置の紙白の色彩値に対して相対的な色彩値を相対的色彩値と呼ぶ。この相対的色彩値を用いて再現元画像出力装置の色を再現先画像出力装置の色へ変換するカラーマッチングを行う場合、再現元画像出力装置の白は再現先画像出力装置の紙白として再現される。以降、この相対的色彩値を用いた色変換を相対的色変換と呼ぶ。
【０００６】
しかし、これらの方法で紙白の異なる画像出力装置のカラーマッチングを行うと、再現元画像出力装置で出力されるカラーマッチングのターゲット（以降ターゲット）と、再現先画像出力装置で出力されるカラーマッチングの結果（以降マッチング結果）を隣り合わせで観察した際に問題が生じる。相対的色変換でカラーマッチングを行うと、紙白の色みに差がある場合、マッチング結果がターゲットに対し全体的に再現先画像出力装置の紙白の色みに偏った再現となるため、ターゲットとマッチング結果を隣り合わせで観察すると色が合って見えないという問題が生じる。
【０００７】
一方、絶対的色変換でカラーマッチングを行うと、隣り合わせで観察すると全体の色は合って見えるものの、マッチング結果の紙白に色が付いているため、出力方式によっては粒状感等の問題で、見た目で満足できない結果となる場合がある。また、再現先画像出力装置の白が再現元画像出力装置の紙白よりも暗い等、再現元画像出力装置の紙白が再現先画像出力装置の色域内に包括されていない場合、マッチング結果の紙白付近で潰れが発生する、又は異なった色に変換されるという問題が生じる。
【０００８】
以上のような現象に対して、印刷用紙毎に色を計測し、その計測された用紙間の色差に応じた色補正を行う技術が開示されている。（例えば、特許文献１を参照）。この技術では、紙白を活かすことができるが、全ての画素について同じ差の補正を行っているため、画像によっては色味の合わないところが出たり、潰れやトーンジャンプが発生してしまう場合があった。
【特許文献１】特開平１０−３４１３４８号公報
【発明の開示】
【発明が解決しようとする課題】
【０００９】
本発明は、前記従来技術の問題点を解決するために成されたもので、紙白の異なる画像出力装置のカラーマッチングを行い、ターゲットとマッチング結果を隣り合わせで観察した際に好適なマッチングを実現するための用紙差補正カーブを算出する用紙差補正カーブ算出装置及び用紙差補正カーブ算出方法を提供することである。また、用紙差補正カーブを用いたデバイスプロファイル作成装置及び作成方法、デバイスリンクプロファイル作成装置及び作成方法、色変換装置及び色変換方法を提供することである。
【課題を解決するための手段】
【００１０】
本発明は上記課題を実現するためになされたものであって、請求項１記載の発明は、第１の画像出力装置の色を紙白の異なる用紙を使用した第２の画像出力装置で再現する際に、両者の用紙差によって生じる色の差を補正するカーブを算出する用紙差補正カーブ算出装置であって、
第１及び第２の画像出力装置のデバイスプロファイルを作成または取得するデバイスプロファイル準備手段と、
第１の画像出力装置のデバイス値で構成される評価用データを取得する評価用データ取得手段と、
前記評価用データを、第１の画像出力装置のデバイスプロファイルに記述されたデバイス値から相対的色彩値へ変換を行う色変換テーブルを用いて、相対的色彩値に変換し、続いて、第１の画像出力装置のデバイスプロファイルに記述された紙白の絶対的色彩値を用いて、絶対的色彩値に変換し、色再現元色彩値を算出する色再現元色彩値算出手段と、
前記評価用データに対して補正カーブ処理を適用し、補正カーブ適用後の評価用データを算出する補正カーブ適用手段と、
前記補正カーブ適用後の評価用データを、第１の画像出力装置のデバイスプロファイルに記述されたデバイス値から相対的色彩値へ変換を行う色変換テーブルを用いて、相対的色彩値に変換し、続いて第２の画像出力装置のデバイスプロファイルに記述された相対的色彩値からデバイス値へ変換を行う色変換テーブルを用いて、第２の画像出力装置のデバイス値に変換し、続いて第２の画像出力装置のデバイスプロファイルに記述されたデバイス値から相対的色彩値へ変換を行う色変換テーブルを用いて、相対的色彩値に変換し、続いて第２の画像出力装置のデバイスプロファイルに記述された紙白の絶対的色彩値を用いて、絶対的色彩値に変換し、色再現先色彩値を算出する色再現先色彩値算出手段と、
前記色再現元色彩値と色再現先色彩値の差を求め、その差が最小または基準値以下とする補正カーブを算出する補正カーブ算出手段と、
を含む用紙差補正カーブ算出装置である。
【００１１】
また、請求項２記載の発明は、画像出力装置のデバイスプロファイルを作成するデバイスプロファイル作成装置であって、請求項１記載の用紙差補正カーブ算出装置によって算出した補正カーブを用いてデバイスプロファイルを作成するデバイスプロファイル作成手段を含むデバイスプロファイル作成装置である。
【００１２】
また、請求項３記載の発明は、第１の画像出力装置の色から第２の画像出力装置の色へ変換を行うためのデバイスリンクプロファイルを作成するデバイスリンクプロファイル作成装置であって、請求項１記載の用紙差補正カーブ算出装置によって算出した補正カーブを用いてデバイスリンクプロファイルを作成するデバイスリンクプロファイル作成手段を含むデバイスリンクプロファイル作成装置である。
【００１３】
また、請求項４記載の発明は、第１の画像出力装置において出力される画像データの色を、第２の画像出力装置において再現するよう画像データの色変換を行う色変換装置において、
画像データの入力を行うデータ入力手段と、
第１及び第２の画像出力装置の用紙差補正カーブを用いて色変換する色変換手段と、
を含み、前記色変換手段に使われる用紙差補正カーブが、請求項１記載の用紙差補正カーブ算出装置で作成された用紙差補正カーブである色変換装置である。
【００１４】
また、請求項５記載の発明は、第１の画像出力装置において出力される画像データの色を、第２の画像出力装置において再現するよう画像データの色変換を行う色変換装置において、
画像データの入力を行うデータ入力手段と、
第１及び第２の画像出力装置のデバイスプロファイルを用いて色変換する色変換手段と、
を含み、前記色変換手段に使われるデバイスプロファイルが、請求項２記載のデバイスプロファイル作成装置で作成されたデバイスプロファイルである色変換装置である。
【００１５】
また、請求項６記載の発明は、第１の画像出力装置において出力される画像データの色を、第２の画像出力装置において再現するよう画像データの色変換を行う色変換装置において、
画像データの入力を行うデータ入力手段と、
第１の画像出力装置の色から第２の画像出力装置の色へ変換を行うためのデバイスリンクプロファイルを用いて色変換する色変換手段と、
を含み、前記色変換手段に使われるデバイスリンクプロファイルが、請求項３記載のデバイスリンクプロファイル作成装置で作成されたデバイスリンクプロファイルである色変換装置である。
【００１６】
また、請求項７記載の発明は、第１の画像出力装置の色を紙白の異なる用紙を使用した第２の画像出力装置で再現する際に、両者の用紙差によって生じる色の差を補正するカーブを算出する用紙差補正カーブ算出方法であって、
第１及び第２の画像出力装置のデバイスプロファイルを作成または取得するデバイスプロファイル準備ステップと、
第１の画像出力装置のデバイス値で構成される評価用データを取得する評価用データ取得ステップと、
前記評価用データを、第１の画像出力装置のデバイスプロファイルに記述されたデバイス値から相対的色彩値へ変換を行う色変換テーブルを用いて、相対的色彩値に変換し、続いて、第１の画像出力装置のデバイスプロファイルに記述された紙白の絶対的色彩値を用いて、絶対的色彩値に変換し、色再現元色彩値を算出する色再現元色彩値算出ステップと、
前記評価用データに対して補正カーブ処理を適用し、補正カーブ適用後の評価用データを算出する補正カーブ適用ステップと、
前記補正カーブ適用後の評価用データを、第１の画像出力装置のデバイスプロファイルに記述されたデバイス値から相対的色彩値へ変換を行う色変換テーブルを用いて、相対的色彩値に変換し、続いて第２の画像出力装置のデバイスプロファイルに記述された相対的色彩値からデバイス値へ変換を行う色変換テーブルを用いて、第２の画像出力装置のデバイス値に変換し、続いて第２の画像出力装置のデバイスプロファイルに記述されたデバイス値から相対的色彩値へ変換を行う色変換テーブルを用いて、相対的色彩値に変換し、続いて第２の画像出力装置のデバイスプロファイルに記述された紙白の絶対的色彩値を用いて、絶対的色彩値に変換し、色再現先色彩値を算出する色再現先色彩値算出ステップと、
前記色再現元色彩値と色再現先色彩値の差を求め、その差が最小または基準値以下とする補正カーブを算出する補正カーブ算出ステップと、
を含む用紙差補正カーブ算出方法である。
【００１７】
また、請求項８記載の発明は、画像出力装置のデバイスプロファイルを作成するデバイスプロファイル作成方法であって、請求項７記載の用紙差補正カーブ算出方法によって算出した補正カーブを用いてデバイスプロファイルを作成するデバイスプロファイル作成ステップを含むデバイスプロファイル作成方法である。
【００１８】
また、請求項９記載の発明は、第１の画像出力装置の色から第２の画像出力装置の色へ変換を行うためのデバイスリンクプロファイルを作成するデバイスリンクプロファイル作成方法であって、請求項７記載の用紙差補正カーブ算出方法によって算出した補正カーブを用いてデバイスリンクプロファイルを作成するデバイスリンクプロファイル作成ステップを含むデバイスリンクプロファイル作成方法である。
【００１９】
また、請求項１０記載の発明は、第１の画像出力装置において出力される画像データの色を、第２の画像出力装置において再現するよう画像データの色変換を行う色変換方法において、
画像データの入力を行うデータ入力ステップと、
第１及び第２の画像出力装置の用紙差補正カーブを用いて色変換する色変換ステップと、
を含み、前記色変換ステップに使われる用紙差補正カーブが、請求項７記載の用紙差補正カーブ算出方法で作成された用紙差補正カーブである色変換方法である。
【００２０】
また、請求項１１記載の発明は、第１の画像出力装置において出力される画像データの色を、第２の画像出力装置において再現するよう画像データの色変換を行う色変換方法において、
画像データの入力を行うデータ入力ステップと、
第１及び第２の画像出力装置のデバイスプロファイルを用いて色変換する色変換ステップと、
を含み、前記色変換ステップに使われるデバイスプロファイルが、請求項８記載のデバイスプロファイル作成方法で作成されたデバイスプロファイルである色変換方法である。
【００２１】
また、請求項１２記載の発明は、第１の画像出力装置において出力される画像データの色を、第２の画像出力装置において再現するよう画像データの色変換を行う色変換方法において、
画像データの入力を行うデータ入力ステップと、
第１の画像出力装置の色から第２の画像出力装置の色へ変換を行うためのデバイスリンクプロファイルを用いて色変換する色変換ステップと、
を含み、前記色変換ステップに使われるデバイスリンクプロファイルが、請求項９記載のデバイスリンクプロファイル作成方法で作成されたデバイスリンクプロファイルである色変換方法である。
【発明の効果】
【００２２】
本発明によれば、紙白の異なる画像出力装置のカラーマッチングを行い、その結果を隣り合わせで観察した際に好適なマッチングを実現するための用紙差補正カーブを算出する用紙差補正カーブ算出装置及び用紙差補正カーブ算出方法を実現できる。
【発明を実施するための最良の形態】
【００２３】
以下に、本発明の代表的な実施形態を挙げ、また図面を用いることにより、本発明をより詳細に説明する。
【００２４】
まず、本発明の用紙差補正カーブ算出装置の一実施形態について、図２を用いて説明する。図２は、用紙差補正カーブ算出装置の一実施形態を表す機能ブロック図である。デバイスプロファイル準備１は、カラーマッチングの再現元となる画像出力装置及び再現先となる画像出力装置のデバイスプロファイルを作成する。これらのデバイスプロファイルはICCプロファイルフォーマットに従ったフォーマットで記述されており、デバイス値から相対的色彩値の変換に必要なテーブル及び相対的色彩値からデバイス値の変換に必要なテーブル及び紙白の絶対的色彩値等のカラーマッチングに必要な情報が記述されたデバイスプロファイルである。
【００２５】
評価用データ取得２は、用紙差補正カーブ算出にもちいるため、再現元となる画像出力装置のデバイス値で構成される評価用データを取得する。
【００２６】
補正カーブ算出３は、再現元となる画像出力装置及び再現先となる画像出力装置の用紙差を補正する補正カーブを算出する。
【００２７】
次に、本発明の用紙差補正カーブ算出装置の一実施形態について、図１を用いて説明する。図１は補正カーブ算出の各ステップを表すフローチャートである。
【００２８】
まず、デバイスプロファイル及び評価用データの準備（Ｓ１）によって、第１及び第２の画像出力装置のデバイスプロファイルを作成するか、または、既存のものを用意する。また、補正カーブを求めるための評価用データの取得も行う。
【００２９】
色再現元色彩値の算出（Ｓ２）は、再現元となる画像出力装置のデバイス値で構成される評価用データを、再現元となる画像出力装置のデバイスプロファイルに記述されたデバイス値から相対的色彩値へ変換を行う色変換テーブルを用いて相対的色彩値に変換し、続いて再現元となる画像出力装置のデバイスプロファイルに記述された紙白の絶対的色彩値を用いて絶対的色彩値に変換して、色再現元色彩値の算出を行う。
【００３０】
補正カーブ（初期値）の準備（Ｓ３）は、初期値としての補正カーブを準備する。
【００３１】
次に、補正カーブを適用した評価用データの算出（Ｓ４）によって、評価用データに対し補正カーブ処理を適用し、補正カーブ適用後の評価用データを算出する。
【００３２】
次に、色再現先色彩値の算出（Ｓ５）によって、補正カーブ適用後の評価用データを、再現元となる画像出力装置のデバイスプロファイルに記述されたデバイス値から相対的色彩値へ変換を行う色変換テーブルを用いて、相対的色彩値に変換し、続いて再現先となる画像出力装置のデバイスプロファイルに記述された相対的色彩値からデバイス値へ変換を行う色変換テーブルを用いて、再現先となる画像出力装置のデバイス値に変換し、続いて再現先となる画像出力装置のデバイスプロファイルに記述されたデバイス値から相対的色彩値へ変換を行う色変換テーブルを用いて、相対的色彩値に変換し、続いて再現先となる画像出力装置のデバイスプロファイルに記述された紙白の絶対的色彩値を用いて、絶対的色彩値に変換して、色再現先色彩値の算出を行う。
【００３３】
次に、色再現元色彩値と色再現先色彩値の差の算出（Ｓ６）によって、色再現元色彩値の算出Ｓ２の結果、即ち色再現元色彩値と、色再現先色彩値の算出Ｓ４の結果、即ち色再現先色彩値との差を算出する。
【００３４】
次に、算出された色再現元色彩値と色再現先色彩値の差がある値に収束したか、または、任意に定めた基準値以下になったかを判断する（Ｓ７）。
【００３５】
ここで、収束していない、または、基準値以下になっていない場合は、差が小さくなるように補正カーブの修正（Ｓ８）を行う。続いて、修正後の補正カーブを再び評価用データに適用し（Ｓ４）、色再現先色彩値の算出（Ｓ５）を経て、差の算出（Ｓ６）を行い、判断する（Ｓ７）というルーチンが繰り返される。
【００３６】
差が収束している、あるいは、基準値以下になったと判断した場合（Ｓ７）は、最後に評価用データに適用した補正カーブが、求める用紙差補正カーブとなる。
【００３７】
次に、本発明の色変換装置の一実施形態について、図３を用いて説明する。図３は本発明の色変換装置の一実施形態を示す構成概略図である。本実施形態の色変換装置は、色再現元色彩値算出手段、補正カーブ適用手段、色再現先色彩値算出手段、補正カーブ算出手段、デバイスプロファイル作成手段、色変換手段を有する色変換部２１と、カラーマッチングの再現元となる画像出力装置であるプリンタＡ２２と、カラーマッチングの再現先となる画像出力装置であるプリンタＢ２３と、プリンタＡ２２及びプリンタＢ２３より出力されたチャートを測色する測色部２４と、評価用データ及び画像データが入力されるデータ入力部２５から構成される。
【００３８】
ここで、デバイスプロファイルやデバイスリンクプロファイルを外部から取得する場合は、色変換部２１とデータ入力部２５のみの構成も可能である。
【００３９】
次に、本発明のデバイスリンクプロファイルを用いる色変換装置の一実施形態を図４のフローチャートに基づいて説明する。
手順１）画像出力装置のデバイスプロファイル作成（フローチャートのＳ１１）
デバイス値がＣＭＹＫであるプリンタＡ及びプリンタＢより、IT8/7.3チャート（ISO12642）を出力する。次に、プリンタＡ及びプリンタＢで出力したIT8/7.3チャートを測色装置を用いて測色し、その測色値を用いて既知の手段又は方法によりプリンタＡのデバイスプロファイル（profile_A）及びプリンタＢのデバイスプロファイル（profile_B）を作成し、記憶する。これらのデバイスプロファイルはＩＣＣプロファイルフォーマットに従ったフォーマットで記述されており、デバイス値から相対的色彩値の変換に必要な変換テーブル及び相対的色彩値からデバイス値の変換に必要な変換テーブル及び紙白の絶対的色彩値等のカラーマッチングに必要な情報が記述されている。
手順２）評価用データの色再現元色彩値算出（フローチャートのＳ１２〜Ｓ１３）
グレーステップ及び印刷で多く用いられる肌色の掛け合わせ等複数のＣＭＹＫ値が記述された評価用データをデータ入力装置より取得し、profile_Aの変換テーブルを用いて、プリンタＡの紙白に対する相対的色彩値（ColorData_Rel）に変換する。その相対的色彩値で記述された評価用データを、ＩＣＣプロファイルフォーマットの定義に従いprofile_Aに記述されているプリンタＡの紙白の絶対的色彩値を用いて絶対的色彩値（ColorData_Abs）に変換する。
【００４０】
手順３）補正カーブの算出（フローチャートのＳ１４〜Ｓ１９）
シアン（Ｃ）、マゼンタ（Ｍ）、イエロー（Ｙ）、ブラック（Ｋ）それぞれの補正カーブを作成する。各補正カーブは入力値が０〜２５５の範囲であるルックアップテーブルで構成され、初期値として線形変換テーブルが記述されている。またルックアップテーブルから出力される値も０〜２５５の範囲である。初期状態における補正カーブを図４に示す。
【００４１】
続いて、評価用データに対し補正カーブを適用し、その結果をprofile_A及びprofile_Bの色変換テーブルを用いてプリンタＢのデバイス値に変換し、さらにprofile_Bの色変換テーブルを用いてプリンタＢの紙白に対する相対的色彩値（ColorData_Rel’）に変換する。続いて、ＩＣＣプロファイルフォーマットの定義に従いprofile_Bに記述されているプリンタＢの紙白の絶対的色彩値を用いて絶対的色彩値（ColorData_Abs’）に変換する。
【００４２】
続いて、ColorData_AbsとColorData_Abs’のＣＩＥＬＡＢ均等色空間における平均色差ΔE*abを算出する。
【００４３】
続いてシアン（Ｃ）、マゼンタ（Ｍ）、イエロー（Ｙ）、ブラック（Ｋ）の５０％に相当する各補正カーブの中央値、すなわち入力値１２８に対応する出力値を各補正カーブ別に１刻みでプラス方向又はマイナス方向に変更し、ColorData_AbsとColorData_Abs’の平均色差ΔE*abが最小となるシアン（Ｃ）、マゼンタ（Ｍ）、イエロー（Ｙ）、ブラック（Ｋ）それぞれの補正カーブを算出する。中央値を変更することによる補正カーブ全体の変更はスプライン補間を用いて実現される。この際に、補正カーブの入力値が最大と最小のテーブル値は変更されないとする。すなわち入力値０の場合は出力値は必ず０、入力値２５５の場合は出力値が必ず２５５となる。算出された補正カーブの一例を図５に示す。
【００４４】
手順４）デバイスリンクプロファイルの作成及び補正カーブの適用（フローチャートのＳ２０〜Ｓ２１）
profile_A及びprofile_Bを用いてＩＣＣプロファイルフォーマットに従い、既知の手段または方法に従い、デバイスリンクプロファイルを作成する。続いて、デバイスリンクプロファイルのインプットカーブに補正カーブを適用する。補正カーブのデバイスリンクプロファイルのインプットカーブへの適用は、以下の（１）式に従い行われる。（１）式はシアンの補正カーブに関する計算式であるが、マゼンタ、イエロー及びブラックに関しても同様の計算式を用いて適用される。なおデバイスリンクプロファイルのインプットカーブの入力値及び出力値とも補正カーブと等しく０〜２５５の範囲であるとする。
【００４５】
InputCurve_C[i]=InputCurve_C[Curve_C[i]]       ・・・（１）
i：０〜２５５
Curve_C[  ]：シアン補正カーブ
InputCurve_C[  ]：デバイスリンクプロファイルのシアンのインプットカーブ
手順５）画像データの色変換（フローチャートのＳ２２〜Ｓ２３）
色変換の対象となる画像データをデータ入力装置より取得し、補正カーブ適用後のデバイスリンクプロファイルを用いて画像データの色変換を行う。
【００４６】
以上、本発明の一実施形態を説明したが、その他に下記のような変形例が考えられる。
【００４７】
本実施例ではデバイスとしてＣＭＹＫ値で制御されるプリンタを使用したが、ＲＧＢ等、他の制御値を用いるデバイスを使用しても良い。
【００４８】
本実施例ではグレーステップ及び印刷で多く用いられる複数の肌色の掛け合わせが記述された複数のＣＭＹＫ値で記述された評価用データを用いたが、補正カーブを求める事が可能な評価用データであれば、どのようなデバイス値及びデータ数でも良い。また、評価用データとして画像データを用いても良い。
【００４９】
本実施例では補正カーブの入力値及び出力値のレンジを０〜２５５としたが、この限りではなく、また入力値と出力値のレンジが異なっても良い。また、プロファイルのインプットカーブも同様であり、補正カーブの出力値とインプットカーブの入力値のレンジの差は一般的な補間演算や間引き演算で対処しても良い。
【００５０】
本実施例では補正カーブとしてルックアップテーブルを使用したが、数式で記述されたカーブ等、評価用データの補正が可能な他の手段を使用しても良い。
【００５１】
本実施例では補正カーブ調整の際に中央値を制御点としたが、紙白の再現に影響を与える値以外ならばどの値を制御点としても良い。また制御点の数はいくつでも良く、制御点調整後の補間方法もどのようなアルゴリズムを使用しても良い。また、本実施例では補正カーブを１刻みで調整したが、どのような刻み幅でもよい。また、最適な補正カーブを求める際はSimplex法等、どのような最適解検索方法を用いても良い。
【００５２】
本実施例では補正カーブはシアン（Ｃ）、マゼンタ（Ｍ）、イエロー（Ｙ）、ブラック（Ｋ）を使用、すなわち、全チャンネルで別々の補正カーブを使用したが、この限りではなく、使用するデバイスの全チャンネルで共通の補正カーブ、またはチャンネルの一部で共通の補正カーブ、またはチャンネルの一部に対してのみ補正を行う補正カーブを用いても良い。
【００５３】
本実施例ではデバイスプロファイル及びデバイスリンクプロファイルとしてＩＣＣプロファイルフォーマットに従ったプロファイルを使用したが、この限りではない。
【００５４】
本実施例ではデバイスプロファイルを作成するためにIT8/7を使用したが、これ以外のチャートを用いても良い。
【００５５】
本実施例では補正カーブをプロファイルのインプットテーブルに適用したが、同様の結果が得られるのであれば、どこに適用しても良い。例えば、カラールックアップテーブルに記述された値自体に適用しても良い。
【００５６】
本実施例では補正カーブを算出する際に色差式としてΔE*abを用いたが、CMC、CIE94、CIE DE2000、CIE XYZ空間の２点間距離算出式等、他の色差式を使用しても良い。また明度差や彩度差等、他の色の差を表す値を基準にして補正カーブを算出しても良い。
【００５７】
本実例では補正カーブをデバイスプロファイル及びデバイスリンクプロファイルに対して適用したが、画像データに適用しても良い。
【産業上の利用可能性】
【００５８】
本発明の活用例としては、ＤＤＣＰにおけるカラーマッチングに用いることができる。
【図面の簡単な説明】
【００５９】
【図１】本発明の用紙差補正カーブ算出の各ステップを表すフローチャートである。デバイスプロファイル作成装置の機能ブロック図
【図２】本発明の用紙差補正カーブ算出装置の一実施形態を表す機能ブロック図である。
【図３】本発明の色変換装置の一実施形態を示す構成概略図である。
【図４】本発明の色変換方法の一実施形態の流れを示すフローチャートである。
【図５】初期状態における補正カーブを示すグラフである。
【図６】補正カーブ算出結果の一例を示すグラフである。
【符号の説明】
【００６０】
１・・・デバイスプロファイル準備
２・・・評価用データ取得
３・・・補正カーブ算出
２１・・・色変換部
２２・・・プリンタＡ
２３・・・プリンタＢ
２４・・・測色部
２５・・・データ入力部
【図１】
2005080045.tif 000003
【図２】
2005080045.tif 000004
【図３】
2005080045.tif 000005
【図４】
2005080045.tif 000006
【図５】
2005080045.tif 000007
【図６】
2005080045.tif 000008